(57)【要約】【課題】部品のバラツキがあった場合において簡便に適正なフィラメント予熱を行い、放電灯の始動を確実なものとするとともに、ランプ短寿命とならなくする。【解決手段】直流電源１０を備える。順直列一対のスイッチング素子２１・２２を含むスイッチング回路を備える。前記直流電源１０・スイッチング回路を並列に接続する。前記各スイッチング素子２１・２２と逆並列に接続するフライホイールダイオード３１・３２を備える。前記各スイッチング素子２１・２２を交互にオンオフするように制御する駆動回路４１を備える。駆動回路４１の発振周波数切り替えのタイミングを計る予熱タイマー回路４２を備える。前記予熱タイマー回路４２により制御される予熱検出回路４３を備える。バラスト用インダクタ５１、補助コンデンサ５２、放電灯５３からなる点灯回路５０を備える。バラスト用インダクタ５１の二次側に巻線され、放電灯５３のフィラメント間に接続されるフィラメント巻線５１Ａとフィラメント巻線５１Ｂ及び予熱期間中これらを監視する検出巻線５１Ｃを備える。【選択図】      図１
2004311379.tif 000002
【特許請求の範囲】
【請求項１】
直流電源を備え、順直列一対のスイッチング素子を含むスイッチング回路を備え、前記直流電源・スイッチング回路を並列に接続し、前記各スイッチング素子と逆並列に接続するフライホイールダイオードを備え、前記各スイッチング素子を交互にオンオフするように制御する駆動回路を備え、駆動回路の発振周波数切り替えのタイミングを計る予熱タイマー回路を備え、前記予熱タイマー回路により制御される予熱検出回路を備え、バラスト用インダクタ、補助コンデンサ、放電灯からなる点灯回路を備え、バラスト用インダクタの二次側に巻線され、放電灯のフィラメント間に接続されるフィラメント巻線とフィラメント巻線及び予熱期間中これらを監視する検出巻線を備えることを特徴とする放電灯点灯装置。
【発明の詳細な説明】
【０００１】
【発明の属する技術分野】
本発明は放電灯点灯装置における、放電灯のフィラメント予熱制御に関する。
【０００２】
【従来の技術】
従来装置の回路図を図２に示す。図２は一般的に知られるハーフブリッジ回路の例である。このインバータ装置は、直流電源１０の両端に直列接続された、スイッチング素子２１・２２を駆動回路４１にて交互にオンオフしてスイッチング素子２２の両端に接続された放電灯５３を含む点灯回路５０に高周波電力を供給するものである。放電灯５３のフィラメントはバラスト用インダクタ５１の二次巻線であるフィラメント巻線５１Ａとフィラメント巻線５１Ｂが接続されており、バラスト用インダクタ５１と補助コンデンサ５２の共振によりフィラメント巻線５１Ａとフィラメント巻線５１Ｂ両端に電圧が発生し、この発生したエネルギにより放電灯５３のフィラメントは予熱される。電源が投入されるとまず、予熱タイマー回路４２の働きにより、駆動回路４１は設定された予熱周波数でスイッチング素子２１・２２を駆動する。この予熱周波数で決まるバラスト用インダクタ５１と補助コンデンサ５２の共振によりバラスト用インダクタ５１両端に共振電圧が発生する。この発生した共振電圧がバラスト用インダクタ５１とフィラメント巻線５１Ａ及びフィラメント巻線５１Ｂとの巻数比に比例してフィラメント巻線５１Ａ及びフィラメント巻線５１Ｂ両端に電圧が発生し放電灯５３のフィラメントは予熱される。予熱タイマー回路４２により設定される一定時間が経過すると、これの働きにより駆動回路４１はスイッチング素子２１・２２を駆動する発振周波数を設定された始動周波数へと切り替える。このためバラスト用インダクタ５１、補助コンデンサ５２の共振が強まり、放電灯５３へ高電圧が印可され、放電灯５３が点灯する。
【０００３】
【発明が解決しようとする課題】
上記従来技術は、設定された一定の予熱周波数でインバータ動作して放電灯のフィラメント予熱を行っているため、予熱のエネルギーはバラスト用インダクタのインダクタンス値、補助コンデンサの容量値、予熱周波数によるバラスト用インダクタの両端に発生する共振電圧により決まる。このため、バラスト用インダクタのインダクタンス値、補助コンデンサの容量値がばらついたときゞ予熱のエネルギーも同様にばらついてしまい、予熱不足によるランプの始動不確実、早期黒化によるランプ短寿命となる問題があった。
本発明の目的は部品のバラツキがあった場合において簡便に適正なフィラメント予熱を行い、放電灯の始動を確実なものとするとともに、ランプ短寿命とならなくすることにある。
【０００４】
【課題を解決するための手段】
上記目的を達成するために、本発明はバラスト用インダクタ５１の二次側にフィラメント巻線５１Ａ、５１Ｂと同様に巻線された第３の巻線である検出巻線５１Ｃと、この検出巻線５１Ｃの電圧を監視する予熱検出回路４３を備える構成としている。予熱周波数にて動作している間、検出巻線５１Ｃ両端に発生する電圧を予熱検出回路４３にて監視し、この電圧が設定された電圧となるよう駆動回路４１の発振周波数を制御することにより、バラスト用インダクタ５１のインダクタンス値、補助コンデンサ５２の容量値がばらついた場合であっても、適正なフィラメントの予熱を行うことができる。
【０００５】
【発明の実施の形態】
本発明の実施形態を図１により説明する。図１に示すよう直流電源１Ａ口頭直列一対のスイッチング素子２１、２２が接続され前記スイッチング素子２１、２２には逆並列にフライホイールダイオード３１、３２が接続されている。前記スイッチング素子２１、２２は駆動回路４１にて交互にオンオフしてスイッチング素子２２の両端に接続された放電灯５３を含む点灯回路５０に高周波電力を供給するものである。放電灯５３のフィラメントはバラスト用インダクタ５１の二次巻線であるフィラメント巻線５１Ａ及びフィラメント巻線５１Ｂが接続されている。バラスト用インダクタ５１と補助コンデンサ５２の共振によりバラスト用インダクタ５１両端に共振電圧が発生し、この発生した共振電圧がバラスト用インダクタ５１とフィラメント巻線５１Ａ及びフィラメント巻線５１Ｂとの巻数比に比例してフィラメント巻線５１Ａ及びフィラメント巻線５１Ｂ両端に電圧が発生し放電灯５３のフィラメントは予熱される。
電源が投入されるとまず、予熱タイマー回路４２の働きにより、駆動回路４１は設定された予熱周波数でスイッチング素子２１・２２を駆動する。同時に、予熱タイマー回路４２の働きにより予熱検出回路４３が動作する。予熱検出回路４３はバラスト用インダクタ５１の二次側に巻線された第３の巻線である検出巻線５１Ｃの両端電圧を検出し、この電圧値が設定された目標となる電圧値と等しくなるよう駆動回路４１の発振周波数を制御する。検出巻線５１Ｃの両端電圧は放電灯５３のフィラメントに接続されているフィラメント巻線５１Ａ及びフィラメント巻線５１Ｂの両端電圧と等価であり、また目標となる電圧値は放電灯５３のフィラメントを予熱する最適値に設定されている。予熱タイマー回路４２により設定される一定時間が経過すると、これの働きにより駆動回路４１はスイッチング素子２１・２２を駆動する発振周波数を始動周波数へと切り替える。このためバラスト用インダクタ５１、補助コンデンサ５２の共振が強まり、確実にフィラメントが予熱されている放電灯５３へ高電圧が印可され、放電灯５３は点灯する。
【０００６】
【発明の効果】
本発明によれば、バラスト用インダクタの二次側にフィラメント巻線と同様に巻線された第３の巻線である検出巻線の両端電圧を予熱検出回路により検出し、この電圧値が設定された目標となる最適予熱条件の電圧値と等しくなるよう駆動回路の発振周波数を制御することで、バラスト用インダクタのインダクタンス値、補助コンデンサの容量値がばらついた場合であっても、簡便に適正なフィラメントの予熱が可能となり、放電灯の始動を確実なものとするとともに、ランプ短寿命とならなくすることができる。
【図面の簡単な説明】
【図１】本発明装置の回路図
【図２】従来装置の回路図
【符号の説明】
１０：直流電源
２１，２２：スイッチング素子
３１，３２：フライホイールダイオード
４１：制御回路
４２：予熱タイマー回路
４３：予熱検出回路
５０：点灯回路
５１：バラスト用インダクタ
５１Ａ、５１Ｂ：フィラメント巻線
５１Ｃ：検出巻線
５２：補助コンデンサ
５３：放電灯
７０：コンデンサ
【図１】
2004311379.tif 000003
【図２】
2004311379.tif 000004